(57)【特許請求の範囲】
【請求項１】
硬質斜面に立設した支柱に崩落抑止材を起立させて設置し、崩落抑止材が隠れるまで斜面上に植生基盤を層状に形成する、植生基盤の構築方法において、
支柱が千鳥状を呈するように硬質斜面に複数の支柱付きベースプレートを配置し、
前記ベースプレートを固定ピンで硬質斜面の上位に取り付けて複数のベースプレートを垂下し、
前記崩落抑止材として帯状ネットを使用し、
波形に配置した前記崩落抑止材の各折返部を各支柱に連結して、緑化基盤充填用の複数の区画空間を形成したことを特徴とする、
植生基盤の構築方法。
【請求項２】
硬質斜面に立設した支柱に崩落抑止材を起立させて設置し、崩落抑止材が隠れるまで斜面上に植生基盤を層状に形成する、植生基盤の構築方法において、
支柱が千鳥状を呈するように硬質斜面に複数の支柱付きベースプレートを配置し、
前記ベースプレートの延長部を固定ピンで硬質斜面の上位の天端に取り付けて複数のベースプレートを垂下し、
前記崩落抑止材として帯状ネットを使用し、
波形に配置した前記崩落抑止材の各折返部を各支柱に連結して、緑化基盤充填用の複数の区画空間を形成したことを特徴とする、
植生基盤の構築方法。
【請求項３】
硬質斜面に立設した支柱に崩落抑止材を起立させて設置し、崩落抑止材が隠れるまで斜面上に植生基盤を層状に形成する、植生基盤の構築方法において、
支柱が千鳥状を呈するように硬質斜面に複数の支柱付きベースプレートを配置し、
硬質斜面の上位の天端に打設した固定ピンに接続治具を接続して複数のベースプレートを垂下し、
前記崩落抑止材として帯状ネットを使用し、
波形に配置した前記崩落抑止材の各折返部を各支柱に連結して、緑化基盤充填用の複数の区画空間を形成したことを特徴とする、
植生基盤の構築方法。
【発明の詳細な説明】
【０００１】
【発明の属する技術分野】
本発明は法面や護岸の緑化技術に関し、より詳細には岩盤面、コンクリート覆工面、石張面等の硬質斜面に好適な植生基盤の構築技術に関する。
【０００２】
【従来の技術】
一般の法面緑化工においては、法面にアンカー類を打設しながら各種の崩落抑止材を法面に立設した後、植生基盤を投入したり、或いは吹き付けて構築している。
緑化基盤は崩落抑止材を介して最終的にアンカー類へ伝えられることから、崩落抑止材毎に打設したアンカー類の支持強度を、緑化基盤の崩落力に対抗し得るように設計することが肝要である。
【０００３】
【発明が解決しようとする課題】
前記した植生基盤の構築方法を岩盤面、コンクリート覆工面、石張面等の硬質斜面に適用する場合、次のような改善すべき点がある。
＜イ＞  多数のアンカー類を人力で直打ちすると、アンカー類の設置に多大の時間と労力を要し、施工効率が著しく低下する。
殊に、空石張や練石張を施した表面の凹凸が激しい護岸においては、アンカー類の直打ちが困難である。
＜ロ＞  アンカーの打設に先行して岩盤やコンクリート面にボーリング孔を穿設する方法も試みられているが、足場の悪い斜面においてマシンの据付や移動に手数がかかるうえに、穿孔作業の追加分だけ工期及び工費の負担増を強いられる。＜ハ＞  コンクリート法面の如く、アンカー類の打設が禁止されている現場においては、崩落抑止材の設置が不能となり、アンカー類に代る崩落抑止材の設置技術の提案が望まれている。
【０００４】
本発明は以上の点に鑑みてなされたもので、その目的とするところは、施工性に優れた植生基盤の構築方法を提供することにある。
【０００５】
さらに本発明の他の目的は工期の短縮及び工費の低減を可能とする植生基盤の構築方法を提供することにある。
【０００６】
【課題を解決するための手段】
本発明は、硬質斜面に立設した支柱に崩落抑止材を起立させて設置し、崩落抑止材が隠れるまで斜面上に植生基盤を層状に形成する、植生基盤の構築方法において、支柱が千鳥状を呈するように硬質斜面に複数の支柱付きベースプレートを配置し、前記ベースプレートを固定ピンで硬質斜面の上位に取り付けて複数のベースプレートを垂下し、前記崩落抑止材として帯状ネットを使用し、波形に配置した前記崩落抑止材の各折返部を各支柱に連結して、緑化基盤充填用の複数の区画空間を形成したことを特徴とするものである。
さらに本発明は、硬質斜面に立設した支柱に崩落抑止材を起立させて設置し、崩落抑止材が隠れるまで斜面上に植生基盤を層状に形成する、植生基盤の構築方法において、支柱が千鳥状を呈するように硬質斜面に複数の支柱付きベースプレートを配置し、前記ベースプレートの延長部を固定ピンで硬質斜面の上位の天端に取り付けて複数のベースプレートを垂下し、前記崩落抑止材として帯状ネットを使用し、波形に配置した前記崩落抑止材の各折返部を各支柱に連結して、緑化基盤充填用の複数の区画空間を形成したことを特徴とするものである。
さらに本発明は硬質斜面に立設した支柱に崩落抑止材を起立させて設置し、崩落抑止材が隠れるまで斜面上に植生基盤を層状に形成する、植生基盤の構築方法において、支柱が千鳥状を呈するように硬質斜面に複数の支柱付きベースプレートを配置し、硬質斜面の上位の天端に打設した固定ピンに接続治具を接続して複数のベースプレートを垂下し、前記崩落抑止材として帯状ネットを使用し、波形に配置した前記崩落抑止材の各折返部を各支柱に連結して、緑化基盤充填用の複数の区画空間を形成したことを特徴とするものである。
【０００７】
【発明の実施の形態１】
以下図面を参照しながら本発明の一実施の形態について説明する。
【０００８】
＜イ＞ベースプレートの設置工
図２において、覆工コンクリート、コンクリートブロック、岩盤等を含む硬質斜面１０に、複数の支柱２０を立設したベースプレート２１を設置する。
【０００９】
ベースプレート２１は、硬質斜面１０に反力を得て複数の支柱２０を支持する部材で、例えば図１に示すように帯状板で構成し、各ベースプレート２１に連続性を持たせて連結し、その所々をペースプレート２１と共に硬質斜面１０へ打ち込んだ固定ピン２２により固定する。
本例では帯状板製のベースプレート２１を縦横方向に配置して井桁状とした場合を示すが、帯状板製のベースプレート２１を斜め方向に交差させて配置してもよく、各支柱２０が千鳥状になるように各ベースプレート２１に連続性を持たせて配置してあればよい。
【００１０】
従来は崩落抑止材毎にアンカー類で固定していたため、多数のアンカー類を必要としたが、本例では複数の支柱２０をベースプレート２１に立設し、多数の支柱２０をひとまとめとして固定ピンで固定するため、ピンの使用本数や打設回数が従来工法と比べて少なくて済む。
【００１１】
支柱２０は後述する崩落抑止材３０の位置決め部材で、ベースプレート２１の長手方向に沿い所定の間隔を隔てて立設される。支柱２０はねじ込み、接着、溶接等の固定手段で以って現場で組み付けるか、または工場等で予め組み付けておく。
【００１２】
＜ロ＞崩落抑止材の設置工（図１，図３）
千鳥状に配置した各支柱２０間に崩落抑止材３０を掛け渡し、崩落抑止材３０の間に複数の区画空間３１を形成する。
【００１３】
本例では崩落抑止材３０が帯状を呈する樹脂製又は金属製のネットで構成した場合を示す。
崩落抑止材３０としてアラミド繊維と高密度ポリエチレン樹脂を複合させたネット（前田工繊株式会社製アデム）が好適である。
崩落抑止材３０は硬質斜面１０の横方向又は縦方向に向けて波状に並設し、図４に拡大して示すように隣接する二枚の崩落抑止材３０の折返部と支柱２にコイル３２を巻き付けて一体に連結する。
崩落抑止材３０はロール状に巻き取ったものを現場に搬入し、現場の状況に応じたスパン長で以って波形に形成する。
またその最外周を崩落抑止材３０ａで囲繞して支柱２０に連結する。
【００１４】
尚、予め硬質斜面１０に吸出防止機能を有するシート１１を敷設したり、最外周を囲繞する崩落抑止材３０ａに同機能のシート１２取り付けておくと、次記する植生基盤４０の吸出しを効果的に防止することができる（図１参照）。
【００１５】
＜ハ＞植生基盤の中詰め工事（図１，図５）
つぎに崩落抑止材３０，３０ａで区画した空間３１内に各種の植生基盤４０を中詰めして緑化を図る。
植生基盤４０は、硬質斜面１０に直接吹き付けしたり、或いはバックホー等の建機を用いて投入する。袋詰めしたものを投入してもよい。
【００１６】
この場合、植生基盤４０を硬質斜面１０の下段側から上段へ向けて多段的に中詰する。このようにすると、各上段の植生基盤４０の重量を下段の植生基盤４０で支持することとなり、直接崩落抑止材３０や支柱２０で負担せずに済む。
支柱２０は植生基盤４０の中詰め前における崩落抑止材３０の仮固定部材として機能することになって、固定ピン２２の負担が低減する。
【００１７】
尚、以上説明した工程で行う緑化基盤の構築技術は、斜面が非硬質面（通常の土質面）に適用してもよい。
【００１８】
【発明の実施の形態２】
以降に他の実施の形態について説明するが、その説明に際し、前記した実施の形態１と同一の部位は同一の符号を付してその詳しい説明を省略する。
【００１９】
図６〜図９に固定ピン２２を用いたペースプレート２１のその他の固定方法を示す。
図６は横置きしたベースプレート２１の下流面側に当接するように固定ピン２２を打設してベースプレート２１を支持した場合を示す。
【００２０】
図７，図８は硬質斜面１０の天端に打設した固定ピン２２にフック付の連結治具２５を接続し、連結治具２５のフックを横置きした最上位のベースプレート２１に掛止させた場合を示す。
【００２１】
図９はベースプレート２１を天端まで延長し、この延長部２１ａに固定ピン２２を打設してもよい。
【００２２】
本例の如く固定ピン２２に垂下するようにすると、ベースプレート２１に貫通させた場合と比べてベースプレート２１の強度低下を回避できると共に、ベースプレート２１の固定作業がより簡単に行うことができる。
【００２３】
【発明の実施の形態３】
以上は固定ピン２２を用いてベースプレート２１を硬質斜面１０に取り付ける場合について説明したが、ベースプレート２１の底面に接着剤を塗布して接着により固定してもよい（図示せず）。
本例においては先の固定ピン２２や固定ピンの打設作業が不要となるので、施工効率をさらに改善できる。
また先の固定ピン２２と接着による固定手段を併用してもよい。
【００２４】
【発明の実施の形態４】
以上はベースプレート２１と固定ピン２２を用いて支柱２０を硬質斜面１０に立設する場合について説明したが、ベースプレート２１を省略し、独立した支柱した単体の支柱２０Ａ，２０Ｂを硬質斜面１０に接着剤１１で固着してもよい。
【００２５】
図１０は棒体や管体よりなる支柱２０Ａの下部に裾板２４を一体に接合して製作し、この裾板２４の底面に接着剤１１を塗布した場合を示す。
【００２６】
図１１は間伐材で支柱２０Ｂで構成すると共に、これを硬質斜面１０に接着して立設した場合を示す。
間伐材製の支柱２０Ｂは直接硬質斜面１０に接着してもよいが、安定性を考慮すると支柱２０Ｂの下部に裾板２４を設け、裾板２４の底面に接着剤１１を塗布して接着させることが望ましい。
この場合、間伐材製の支柱２０Ｂと裾板２４の間は、接着層２５を介在して、或いは裾板２４に立設した止めピン２６への差し込み等の連結手段により固定する。
また裾板２４の接着性をよくするため、硬質斜面１０の接着個所を研磨しておくことが望ましい。
【００２７】
【発明の実施の形態５】
図１２に帯状の崩落抑止材３０，３０と支柱２０間における他の連結構造を示す。
（Ａ）は支柱２０の他側のコイル３２内に補助連結棒２７を挿入して連結する場合を示し、（Ｂ）は支柱２０を間に挟んで崩落抑止材３０，３０を配置すると共に、コイル３２の両側に補助連結棒２７，２７を挿入して連結した場合を示す。
【００２８】
【発明の実施の形態６】
本発明は支柱２０，２０Ａ，２０Ｂを硬質斜面１０に取り付ける固定手段の改良に係るものであるから、崩落抑止材３０は実施の形態１に例示したものに限定されず、支柱２０，２０Ａ，２０Ｂに起立状態で取付可能であれば公知の各種崩落抑止材３０を適用することができる。
【００２９】
【発明の実施の形態７】
本発明は中詰材として栗石等を詰め込むことで布団篭工法へ適用することも可能である。
また中詰材として下層に栗石を、上層に緑化基盤を充填することで、護岸表層の緑化を図ることも可能である。
【００３０】
【発明の効果】
本発明は次の効果を得ることができる。
＜イ＞  従来は崩落抑止材毎にアンカー類を用いて固定していたため、多数のアンカー類を必要とした。これに対して本発明では複数の支柱２０を立設してひとまとめとしたベースプレートを、固定ピンで固定するだけでよく、ピンの使用本数と打設回数の低減が可能となり、工期の短縮及び工費の低減を図り施工効率を改善することができる。
＜ロ＞  アンカー類の直打ちが困難とされる空石張や練石張を施した護岸においても、固定ピンの使用本数が少なくと済むため、効率よく施工することができる。
＜ハ＞  コンクリート製法面の如くアンカー類の使用が禁止される現場であっても、斜面に接着して立設した支柱群で以って、崩落抑止材に作用する緑化基盤の崩落力を確実に支持できるので、緑化基盤の構築が可能となる。
＜ニ＞  アンカーピンを打設する従来技術にあっては、各アンカーピンの打設位置を寸法出しする必要があったが、本発明ではベースプレートを使用することで寸法出しの工程を省略することができる。
【図面の簡単な説明】
【図１】本発明に係る植生基盤の構築方法をモデル化した硬質斜面の斜視図
【図２】ベースプレートを固定する工程に係る説明図で、硬質斜面の一部の縦断面図
【図３】支柱に崩落抑止材を連結する工程に係る説明図で、硬質斜面の一部の縦断面図
【図４】崩落抑止材の折返部と支柱の連結構造を示す斜視図
【図５】植生基盤の構築を完了した状態における硬質斜面の一部の縦断面図
【図６】ベースプレートを固定ピンで掛止して固定する他の実施の形態に係る説明図
【図７】連結治具を用いてベースプレートを固定ピンに垂下させて固定する他の実施の形態に係る説明図
【図８】その正面図
【図９】ベースプレートを天端にピン止めして固定した他の実施の形態に係る説明図
【図１０】支柱を接着手段により硬質斜面に立設した他の実施の形態に係る説明図
【図１１】支柱に間伐材を用い、これを接着手段により硬質斜面に立設した他の実施の形態に係る説明図
【図１２】補助連結棒を用いて崩落抑止材を支柱に連結する他の実施の形態に係る説明図
【符号の説明】
１０        硬質斜面
１１        接着剤
２０        支柱
２１        ベースプレート
２２        固定ピン
３０，３０ａ  崩落抑止材
３１        区画空間
３２        コイル
４０        植生基盤
【図１】
0003608192.tif 000002
【図２】
0003608192.tif 000003
【図３】
0003608192.tif 000004
【図４】
0003608192.tif 000005
【図５】
0003608192.tif 000006
【図６】
0003608192.tif 000007
【図７】
0003608192.tif 000008
【図８】
0003608192.tif 000009
【図９】
0003608192.tif 000010
【図１０】
0003608192.tif 000011
【図１１】
0003608192.tif 000012
【図１２】
0003608192.tif 000013